【事件の表示】
　平成１０年特許願第２５７４５７号「二重管形蛍光ランプ」拒絶査定不服審判事件〔平成１２年　２月２５日出願公開、特開２０００−　５７９９９〕について、次のとおり審決する。
【結　論】
　本件審判の請求は、成り立たない。
【理　由】
１．手続の経緯・本願発明
　本願は、平成１０年８月１０日の出願であって、その特許請求の範囲の請求項１及び２に係る発明は、平成１４年１月３１日付け（受付日平成１４年２月４日）手続補正書により補正された明細書及び図面の記載からみて、その特許請求の範囲の請求項１及び２に記載された事項により特定されるとおりのものと認められるところ、その請求項１に係る発明（以下、「本願第１発明」という。）は、次のとおりのものである。
　「【請求項１】　通電により発光するようにガラスバルブの内面に蛍光体被膜を形成し両端には１対の内部電極が封装されてなる蛍光ランプを内管となし、この内管を隙間を介し且つ外管内に外管と当接しないように機密に封装し、前記外管内には真空若しくは１気圧未満の希ガスが封入され、前記内部電極と電気的に接続された導入線は外部電源より給電可能に前記内管及び外管の両端封止部を夫々気密に貫通して外部に導出されてなる二重管形蛍光ランプにおいて、前記導入線はコバール、モリブデン、タングステンのいずれかよりなり、前記内管の両端封止部と前記外管の両端封止部は夫々ビードガラスにより封止され、前記ビードガラスは互いに当接することなくバルブ軸方向に沿って離隔してなることを特徴とする二重管形蛍光ランプ。」
　
２．引用例
　（１）これに対して、原査定の拒絶の理由に引用された、本願出願前に頒布された刊行物である特開平９−９２２１０号公報（以下、「引用例１」という。）には、図面とともに次の事項が記載されている。
　ア．「【０００１】【発明の属する技術分野】本発明は、二重管形蛍光ランプで代表される二重管形低圧水銀蒸気放電ランプとそのランプ装置およびこのランプを用いた照明装置に関する。」
　イ．「【０００２】【従来の技術】最近、液晶表示装置のバックライトとして消費電力の小さな蛍光ランプが使用されており、小形の液晶表示装置では冷陰極蛍光ランプも使用されている。しかしながら、このような蛍光ランプは点灯時の発熱量が小さいため発光管の温度が雰囲気温度によって大きな影響を受け易いという問題がある。・・・【０００４】一方、実公平４−５２９３２号公報には、発光管を気密性の外管に収容して二重管構造にするという提案がなされている。発光管を外管に収容して二重管構造にすると、発光管の周囲が断熱空間で囲まれるからランプを始動した場合、発光管から発せられる熱の逃げるのが抑止され、発光管の温度上昇を促し、光束の立上がりが素早くなる。」
　ウ．「【０００５】【発明が解決しようとする課題】しかしながら、上記のように構成した二重管構造の蛍光ランプの場合、低温雰囲気で長時間点灯したり、大きなランプ電力を投入して大きな輝度を得ようとしたり、または特に周囲の温度が高い状況で長時間点灯すると、外管内の断熱空間の断熱作用により、むしろ発光管が過度に温度上昇することがある。このように過度な温度上昇を生じると、水銀の蒸気圧が最適値を越えるようになり、水銀の自己吸収が生じて逆に輝度の低下を招くという不具合がある。【０００６】本発明はこのような事情にもとづきなされたもので、その目的とするのは、低温雰囲気では光束の立上がりを促し、安定点灯中には発光管の過度な温度上昇を防止して輝度の低下を抑止した二重管形低圧水銀蒸気放電ランプとそのランプ装置および照明装置を提供しようとするものである。」
　エ．「【００２０】図１に示す二重管形冷陰極蛍光ランプ１は、内管となる発光管１０と、この発光管１０を収容した外管２０とで二重管構造をなしている。発光管１０は、外径Ｄが例えば３mm、全長が２３０mmとされた鉛ガラスからなる直管形バルブ１１を有し、このバルブ１１の内面には、水銀の発する波長２５４nmの紫外線により励起されて可視光を発光する蛍光体、例えば色温度６５００Ｋを発する３波長発光形蛍光体からなる蛍光体層１２が形成されている。【００２１】バルブ１１の長手方向両端部には、冷陰極１３，１３が封装されている。冷陰極１３，１３は、それぞれリード線を兼ねる電極軸１３ｂに棒形または円筒形の電極本体１３ａを接合して構成されており、電極本体１３ａはニッケルＮｉにて形成されている。上記電極軸１３ｂは、ガラスと熱膨脹率が近似する金属、例えば太径ジュメット線からなる封着線１４に接続されており、この封着線１４はバルブ１１端部の封止部１５に封着されている。上記封着線１４はそれぞれ外部リード線１６に接続されている。・・・【００２３】このような発光管１０は外管２０に収容されている。外管２０は、外径が例えば４mm、全長が２５５mmとされた鉛ガラスからなり、両端部が閉塞されている。この閉塞端部２１，２１にはガラスと熱膨脹率が近似する金属、例えば太径ジュメット線からなる導線２２，２２が気密に封着されており、この導線２２，２２の内端面には前記発光管１０の外部リード線１６，１６が接続されているとともに外端面には他の外部リード線２３，２３が接続されている。【００２４】このような外管２０内は気密をなしており、この外管２０内は真空もしくは希ガスを低い圧力で封入してある。」
　オ．「【００２６】このような構成の二重管形冷陰極蛍光ランプ１の作用について説明する。高周波点灯回路２から冷陰極蛍光ランプ１に周波数５０ｋＨｚ、電圧１２００Ｖ（ｒｍｓ）程度の高周波電圧を供給すると、冷陰極蛍光ランプ１内では発光管１０の両端に設けた冷陰極１３，１３間に上記高周波電圧が印加され、これによりこれら冷陰極１３，１３間で放電が開始される。この放電により５ mＡ程度のランプ電流が流れ、発光管１０に封入された水銀が蒸発されて電離および励起され、この水銀は紫外線を発する。この紫外線は発光管１０の内面に形成した蛍光体層１２により可視光に変化され、この可視光が発光管１０のバルブ１１および外管２０を透過して外部に放出される。」
　カ．図面の図１には、内管１０と外管２０との間には両者が当接しないような隙間が描かれており、さらに、高周波点灯回路２と冷陰極１３、１３とは、電極軸１３ｂ・封着線１４・外部リード線１６・導線２２・外部リード線２３により電気的に接続されていること、及び、封止部１５と閉塞端部２１とは互いに当接することなく離隔していることが見て取れる。
　
　したがって、上記摘記事項ア〜カからみて、引用例１には次の発明（以下、「引用発明」という。）が記載されていると認める。
「通電により発光するように直管形バルブ１１の内面に蛍光体層１２を形成し両端には１対の冷陰極１３、１３が封装されてなる発光管１０を内管となし、この内管を隙間を介し且つ外管２０内に外管２０と当接しないように機密に封装し、前記外管２０内は真空もしくは希ガスを低い圧力で封入し、前記冷陰極１３、１３と電気的に接続された電極軸１３ｂ・封着線１４・外部リード線１６・導線２２・外部リード線２３は高周波点灯回路２より給電可能に前記内管１０の封止部１５、１５及び外管２０の閉塞端部２１、２１を夫々気密に貫通して外部に導出されてなる二重管形冷陰極蛍光ランプ１において、前記封着線１４は例えば太径ジュメット線よりなり、前記内管の封止部１５、１５により封止され、前記導線２２は例えば太径ジュメット線よりなり、前記外管２０の閉塞端部２１、２１により封止され、前記封止部１５、１５と前記閉塞端部２１、２１は互いに当接することなくバルブ軸方向に沿って離隔してなる二重管形冷陰極蛍光ランプ。」
　
　（２）同じく引用された、本願出願前に頒布された刊行物である特開平６−２０３８００号公報（以下、「引用例２」という。）には、図面とともに次の事項が記載されている。
　ア．「【０００１】【産業上の利用分野】本発明は、小型蛍光ランプに関し、特にラップトップ型やブック型のパソコン、ワープロの液晶ディスプレイ装置のバックライトに用いられる小型蛍光ランプに関するものである。」
　イ．「【００１１】そこで本発明は、気密シール部のクラックやスローリークを抑制するとともに輝度の減衰も抑制することが可能な小型蛍光ランプを提供することを目的とするものである。【００１２】【発明が解決しようとする課題】かかる目的を達成するために、本発明の小型蛍光ランプは、気密シール部を構成するリード線としてタングステンを用い、この一対のリード線の所定区域に無酸化状態で硼珪酸ガラスのガラス巻き部を設け、このガラス巻き部間を硼珪酸ガラスからなる内径が１０mm以下の発光管で封設する。」
　ウ．「【００１６】図２および図３は、電極組立体の製造工程の説明図であるが、リード線２は、外径が０．３〜０．８mmφのタングステン線 ２１ と外径が０．６〜１．０mmφのニッケル線２２を溶接部２３で接続してなる。そして、タングステン線２１の外周に、熱膨張係数がタングステンにきわめて近い硼珪酸ガラスのガラス巻き部３を無酸化封止方式で形成するが、・・・これによって、ガラス巻き部３とタングステン線２１が物理的に気密に接着する。」
　エ．「【００２２】かかる電極組立体が完成すると、図４に示すように、ガラス巻き部３に発光管１の端部を溶着して封止し、続いてアニーリング処理を行う。そして、発光管内の排気工程、水銀導入合金加熱工程、およびリード線半田仕上げ工程を経て小型蛍光ランプが完成する。このとき、ガラス巻き部３と発光管１が共に硼珪酸ガラス（硬質ガラス）からなるので、ガラス巻き部３と発光管１を十分に溶解してなじみを良くするだけでよい。因に、従来のように、鉛ガラス（軟質ガラス）とジュメット線を封止する場合は焼きの温度や時間を厳密に管理し、銅の酸化皮膜などの管理も必要である。従って、ガラス巻き部３と発光管１を確実に溶着できるとともに、タングステン線２１とガラス巻き部３が確実に接着されているので、気密シール部を完全に封止できてスローリークを抑制できる。また、気密シール部に残留する歪がずっと小さくなり、かつ硼珪酸ガラスが熱衝撃に強いので、後工程での排気や半田付けなどの加熱工程においるクラックの発生を抑制することができる。」
　
　（３）同じく引用された、本願出願前に頒布された刊行物である特開平８−２４１６９３号公報（以下、「引用例３」という。）には、図面とともに次の事項が記載されている。
　ア．「【０００１】【産業上の利用分野】この発明は冷陰極蛍光ランプ及びその製造方法に関し、特に液晶表示装置に適用されるバックライトユニットの冷陰極蛍光ランプにおいて、封止強度を改善できる電極のガラスバルブへの封止構造並びにその製造方法に関する。」
　イ．「【００１８】【実施例】次に、本発明にかかる冷陰極蛍光ランプの１実施例について図１及び図２を参照して説明する。【００１９】同図において、１は、例えばバルブ径が６ｍｍ程度の硼・珪酸ガラスよりなるガラスバルブであって、それの内面には発光層２が形成されている。・・・ガラスバルブ１の端部１ａ，１ｂには、電極３Ａ，３Ｂが配置されている。この電極３Ａ，３Ｂは、基本的に同じであり、例えばリ−ド線３１の先端に筒状の電極部３２を電気的機械的に固定（例えば溶接）すると共にリ−ド線３１の電極部３２に近い部分にガラスビ−ド３３を気密封止して構成されている・・・【００２０】上述のリ−ド線３１は、基本的にインナ−リ−ド３１ａ，封止線材３１ｂ，アウタ−リ−ド３１ｃをそれぞれバット溶接（端面溶接）して構成されている。・・・インナ−リ−ド３１ａには外径が１．０ｍｍのニッケル線が、封止線材３１ｂには外径が０．６ｍｍのコバ−ルが、アウタ−リ−ド３１ｃには外径が０．３５ｍｍのニッケル線がそれぞれ使用されているが、他の材料に変更したりすることもできる。・・・尚、インナ−リ−ド３１ａ，封止線材３１ｂ，アウタ−リ−ド３１ｃは、別部材を一体化する他、同一線材からそれぞれ所定の外径となるように加工して構成することもできるし、封止線材３１ｂ，アウタ−リ−ド３１ｃだけを同一線材で構成したりすることもできる。」
　
３．対比
　本願第１発明と引用発明を対比する。
　（１）引用発明の「直管形バルブ１１」、「蛍光体層１２」、「冷陰極１３、１３」、「発光管１０」、「内管」、「外管２０」、「高周波点灯回路２」、「二重管形冷陰極蛍光ランプ１」は、それぞれ本願第１発明の「ガラスバルブ」、「蛍光体被膜」、「内部電極」、「蛍光ランプ」、「内管」、「外管」、「外部電源」、「二重管形蛍光ランプ」に相当する。
　（２）引用発明の「電極軸１３ｂ・封着線１４・外部リード線１６・導線２２」は、本願第１発明の「導入線」に相当し、また、引用発明の「封止部１５、１５」、「閉塞端部２１、２１」は、それぞれ本願第１発明の「内管の両端封止部」、「外管の両端封止部」に相当する。
　（３）引用発明の「外管２０内は真空もしくは希ガスを低い圧力で封入し」は、本願第１発明の「外管内には真空若しくは１気圧未満の希ガスが封入され」に相当する。
　以上（１）〜（３）の考察より、本願第１発明と引用発明は、次の一致点及び相違点を有している。
　【一致点】
　「通電により発光するようにガラスバルブの内面に蛍光体被膜を形成し両端には１対の内部電極が封装されてなる蛍光ランプを内管となし、この内管を隙間を介し且つ外管内に外管と当接しないように機密に封装し、前記外管内には真空若しくは１気圧未満の希ガスが封入され、前記内部電極と電気的に接続された導入線は外部電源より給電可能に前記内管及び外管の両端封止部を夫々気密に貫通して外部に導出されてなる二重管形蛍光ランプにおいて、前記内管と前記外管の両端封止部は封止され、それらは互いに当接することなくバルブ軸方向に沿って離隔してなる二重管形蛍光ランプ。」
　【相違点】
　本願第１発明では、導入線がコバール、モリブデン、タングステンのいずれかよりなり、内管の両端封止部と外管の両端封止部は夫々ビードガラスにより封止されているのに対し、引用発明では、電極軸１３ｂ・封着線１４・外部リード線１６・導線２２（「導入線」に相当）の各封止部に位置する封着線１４及び導線２２はジュメット線からなり、内管の封止部１５、１５と外管２０の閉塞端部２１、２１は、封着線１４及び導線２２に直接封止されている点。
　
４．相違点についての判断
　上記相違点について検討するに、上記引用例２には、封止部の強度対策として、タングステン線２１（「導入線」に相当）の外周にガラス巻き部３（「ビードガラス」に相当）を形成した小型蛍光ランプの封止部構造が記載されており、上記引用例３には、封止部の強度対策として、コバールの封止線材３１ｂ（「導入線」に相当）をガラスビード３３（「ビードガラス」に相当）で覆って気密に封着した冷陰極蛍光ランプの封止部構造が記載されていることから、封止部の強度を向上させるために、タングステン、又は、コバールよりなる導入線をビードガラスにより封止することは、蛍光ランプの封止部構造として公知のものである。したがって、引用発明における封止部１５、１５及び閉塞端部２１、２１の封止部構造に、引用例２又は引用例３に記載された上記公知の封止部構造を適用して本願第１発明のように構成することは、当業者であれば容易に想到し得ることである。
　そして、本願第１発明の奏する作用効果は、引用例１ないし３に記載された事項から当業者が予測できる範囲内のものにすぎない。
　なお、審判請求人は、請求の理由において『本願発明は、外管内に内管を固定的に封装した二重管形であることに特徴を有し、外管と内管の封止部を形成する際の加熱による影響を回避するために、両管の両端は夫々ビードガラスで封止する構造としたものであります。これに対し、引用例３、４（当審注：「引用例２、３」に同じ）は単管であり本願発明とは基本的構成を異にします。内管を外管内に封装する二重管形蛍光ランプの出願時に周知であっても、内管と外管の夫々の両端をビードシールすることは提案されておらず、本願発明が開示されていない段階で、当業者が引用例３、４の作業を二重管形蛍光ランプに適用する必然性がないことは明白であります。よって、当業者が本願発明の目的とするクラック発生をなくしランプ形状も歪を無くし所望形状にするということを予測して内外管の封止部を近接した適当距離離隔したビードシールを用い且つ導入線を特定することは、二重管形蛍光ランプに適用することは容易であるとすることはできません。』と主張している。
　しかしながら、引用例２及び引用例３に記載の封止部構造は、単管の蛍光ランプに関するものではあるものの、封止部の強度を向上させるために、特定材質の導入線をビードガラスにより封止するものである。一方、二重管の封止部構造においても、内管と導入線の封止部、及び、外管と導入線との封止部での強度を向上させたほうが望ましいことは設計上当然のことである。そして、二重管における、内管と導入線の封止部、外管と導入線の封止部は、いずれも、構造上特に単管の封止部構造を適用することに支障となるものも無いというべきであるから、引用例２及び引用例３に記載された単管の封止部構造を、二重管である引用発明の封止部構造に適用することに格別困難性はなく、審判請求人の上記主張は採用できない。
　
５．むすび
　以上のとおりであるから、本願第１発明は、上記引用発明、引用例２及び３に記載された発明に基づいて当業者が容易に発明をすることができたものであり、特許法第２９条第２項の規定により特許を受けることができない。
　そして、本願第１発明が特許を受けることができないものであるから、その余の請求項２に係る発明について検討するまでもなく、本願は拒絶をすべきものである。
　よって、結論のとおり審決する。